(57)【特許請求の範囲】
【請求項１】
表示可能な複数の画面の中からユーザからの指示入力に基づき表示対象の画面を選択する設定画面を表示し、設定画面において選択された画面を表示対象の画面として設定しておき、その設定された表示対象の画面を表示する機能を有するシステムであって、
前記設定画面には、前記表示可能な複数の画面として表示されうるとユーザに認識される画面の画像をそれぞれ縮小した縮小画面の画像とともに当該画面の名称を当該縮小画面の近傍に表示する機能を備え、
前記表示対象の画面として、複数の画面を所定時間間隔で切り替えて表示するローテーション画面を備え、
前記設定画面には、当該ローテーション画面の前記縮小画面の画像として前記複数の画面をユーザが視認可能な画像を表示する機能を備えること
を特徴とするシステム。
【請求項２】
前記複数の画面を視認可能な画像として、前記所定時間間隔で切り替えて表示する複数の画面を所定の方向に繋げた画像を前記所定時間間隔よりも短い時間で切り替わるようにスクロール表示させる機能を備えること
を特徴とする請求項１に記載のシステム。
【請求項３】
前記複数の画面を視認可能な画像として、前記所定時間間隔で切り替えて表示する複数の画面をそれぞれ縮小した縮小画面の画像を前記所定時間間隔よりも短い間隔で切り替えて表示する機能を備えること
を特徴とする請求項１に記載のシステム。
【請求項４】
表示可能な複数の画面の中からユーザからの指示入力に基づき表示対象の画面を選択する設定画面を表示し、設定画面において選択された画面を表示対象の画面として設定しておき、その設定された表示対象の画面を表示する機能を有するシステムであって、
前記設定画面には、前記表示可能な複数の画面として表示されうるとユーザに認識される画面の画像をそれぞれ縮小した縮小画面の画像とともに当該画面の名称を当該縮小画面の近傍に表示する機能を備え、
前記表示対象の画面として、表示を行わない画面であるオフ画面を備え
前記設定画面には、当該オフ画面の前記縮小画面の画像として表示を行わないときの画面の状態を示す画像を表示する機能を備えること
を特徴とするシステム。
【請求項５】
請求項１〜４のいずれかに記載のシステムにおける機能をコンピュータに実現させるためのプログラム。
【発明の詳細な説明】
【技術分野】
【０００１】
本発明は、制御システム等に関するものである。
【背景技術】
【０００２】
特許文献１には、機器の設定を行うために、ある設定項目の内容について設定内容の項目の内容を上下方向に並べて一覧を表示し、リモコンの上下ボタンの押下の検出に応じて、フォーカス枠を設定内容の項目間で移動させて、確定ボタンの押下された時点でフォーカス枠に囲まれた項目をその設定項目の設定内容として設定する思想が開示されている。この設定内容の項目の内容は文字列で構成するのが一般的である。
【０００３】
従来、複数の表示画面を表示可能な電子機器において、いずれの画面を表示対象の画面とするかの設定は、特許文献１に記載の方法と同様の方法で行われていた。例えば、表示画面として「時計」と「速度計」と「加速度計」の画面がある場合、設定内容の項目として、「時計」「速度計」「加速度計」といった画面の機能名称の文字列の行を上から順に並べて一覧を表示し、リモコンの上下ボタンの押下の検出に応じて、フォーカス枠を設定内容の項目間で移動させて、確定ボタンの押下された時点でフォーカス枠に囲まれた項目を表示対象の画面として設定していた。
【先行技術文献】
【特許文献】
【０００４】
【特許文献１】特開２０１０−１４９７４２号公報
【発明の概要】
【発明が解決しようとする課題】
【０００５】
しかしながら、近年、設定可能な画面の数が、増加しており、ユーザは、各画面の機能名称の文字列を見ただけではいったいどの画面が表示対象の画面として設定されるのか直感的に理解しにくいという問題があった。
【０００６】
そこで、本発明は、係る問題等を解決するためになされたもので、表示可能な画面数が多数になったとしても、表示対象の画面として選択可能な各画面がどの画面なのかを容易に理解でき、ユーザが希望する画面を確実に表示対象の画面として設定できるシステム等を提供することを目的とする。
【課題を解決するための手段】
【０００７】
上述した問題を解決するために、本発明に係るシステムは、（１）表示可能な複数の画面の中からユーザからの指示入力に基づき表示対象の画面を選択する設定画面を表示し、設定画面において選択された画面を表示対象の画面として設定しておき、その設定された表示対象の画面を表示する機能を有するシステムであって、前記設定画面には、前記表示可能な複数の画面としてユーザに認識される画面の画像をそれぞれ縮小した縮小画面の画像とともに各画面の名称を当該縮小画面の近傍に表示する構成とした。
【０００８】
このようにすることで、表示可能な画面数が多数になったとしても、選択可能な各画面がどの画面なのかを縮小画像をみて容易に理解でき、ユーザが希望する画面を確実に表示対象として設定できる。縮小画像は、実際に表示されうる画面の画像を縮小したものだからである。
【０００９】
表示可能な複数の画面としてユーザに認識される画面としては、例えば、表示可能な複数の画面のそのものでもよいし、表示可能な複数の画面の主要部を有するものであってもよい。設定された表示対象の画面を表示する際にその画面の主要部は変わらないがその中の一部は処理によって書き換える場合であっても、表示可能な複数の画面としてユーザに認識される画面の画像をそれぞれ縮小した縮小画面の画像とともに各画面の名称を当該縮小画面の近傍に表示することで、ユーザが希望する画面を確実に表示対象として設定できる。例えば、変動部と非変動部を有する画面の場合、非変動部の画面の画像を縮小した縮小画面の画像を表示するようにしたり、変動部について表示がなされた例を表示した画面の画像を縮小した縮小画面の画像を表示するようにしたりするとよい。
【００１０】
（２）前記設定画面には、前記縮小画面の画像を所定方向に並べて複数表示するとともに、前記所定方向と直交する方向に向けて当該縮小画面の名称を構成する文字を並べて表示する構成とするとよい。
【００１１】
このようにすれば、例えば７インチ以下の狭い画面であっても、多数の画面の縮小画面を表示でき、表示対象の画面を容易に選択できる。
【００１２】
（３）前記縮小画面の画像を所定方向に並べて複数表示する際に、前記表示対象の画面として選択する対象の縮小画面の画像は、前記縮小画面の画像を所定方向に並べて複数表示する領域の前記所定方向の長さの中心部に表示する構成とするとよい。
【００１３】
このようにすれば、所定方向の中心部に表示された縮小画面の画像が表示対象の画面として選択する対象の縮小画面となり、どの画面が選択対象の画面となるのかが分かりやすい。
【００１４】
（４）所定の選択ボタンの押下が検出された場合に、前記表示対象の画面として選択されている対象の縮小画像を含む部分を指し示すフォーカスを表示する構成とするとよい。
このようにすれば、どの画面が選択された画面となるのかが縮小画面の画像とフォーカスの関係から直感的に分かる。
【００１５】
（５）前記表示対象の画面として選択する対象を示す画像の近傍に指示表示を行う構成とするとよい。
このようにすれば、どの画面が選択対象の画面となるのかが指示表示と画像の位置関係から容易に理解できる。
【００１６】
（６）前記設定画面には、所定のスクロール操作の検出に応じて、Ｍ種類の表示可能な複数の画面の中からＮ種類の画面の前記縮小画面の画像を同時に表示するスクロール表示制御を行う構成とするとよい。
【００１７】
このようにすれば、同時に画面に表示できない多数の画面の中からスクロール操作によって表示される縮小画面の画像を見て選択対象の画面を容易に選択することができる。
【００１８】
（７）前記表示対象の画面として、複数の画面を所定時間間隔で切り替えて表示するローテーション画面を備え、前記設定画面には、当該ローテーション画面の前記縮小画面の画像として前記複数の画面をユーザが視認可能な画像を表示する構成とするとよい。
【００１９】
このようにすれば、実際にローテーション画面として所定時間間隔で切り替えて表示される複数の画面が縮小画面の画像として表示されることから、ローテーション画面でどのような画面が所定時間間隔で切り替えて表示されるのかを容易に把握することができる。
【００２０】
（８）前記複数の画面を視認可能な画像として、前記所定時間間隔で切り替えて表示する複数の画面を所定の方向に繋げた画像を前記所定時間間隔よりも短い時間で切り替わるようにスクロール表示させる構成とするとよい。
【００２１】
このようにすれば、短時間で、ローテーション画面において、どのような画面が所定時間間隔で切り替えて表示されるのかを、すぐに容易に把握することができる。例えば「所定時間」が１分の場合、「所定時間間隔よりも短い時間」は３秒とするなどである。
【００２２】
（９）前記複数の画面を視認可能な画像として、前記所定時間間隔で切り替えて表示する複数の画面をそれぞれ縮小した縮小画面の画像を前記所定時間間隔よりも短い間隔で切り替えて表示する構成とするとよい。
【００２３】
このようにすれば、短時間で、ローテーション画面において、どのような画面が所定時間間隔で切り替えて表示されるのかを、すぐに容易に把握することができる。例えば「所定時間」が１分の場合、「所定時間間隔よりも短い時間」は３秒とするなどである。
【００２４】
（１０）前記表示対象の画面として、表示を行わない画面であるオフ画面を備え前記設定画面には、当該オフ画面の前記縮小画面の画像として表示を行わないときの画面の状態を示す画像を表示する構成とするとよい。
このようにすれば、オフ画面においてどのような表示になるのかを縮小画面の画像として容易に確認することができる。
【００２５】
（１１）（１）〜（１０）のいずれかに記載の車両情報表示システムの機能をコンピュータに実現させるためのプログラムとして構成するとよい。
【発明の効果】
【００２６】
本発明によれば、表示可能な画面数が多数になったとしても、表示対象の画面として選択可能な各画面がどの画面なのかを容易に理解でき、ユーザが希望する画面を確実に表示対象の画面として設定できるシステム等を提供することができる。
【図面の簡単な説明】
【００２７】
【図１】本発明の好適な一実施形態であるレーダー探知機の構成を示す図である。
【図２】レーダー探知機のブロック図である。
【図３】待受画面・レーダースコープ・ＧＰＳ警報の表示例を示す図である。
【図４】レーダー波警報の表示例を示す図である。
【図５】設定メニュー画面の表示例を示す図である。
【図６】待受画面設定画面の表示例を示す図である。
【図７】待受画面設定画面の表示例を示す図である。
【図８】待受画面設定画面の表示例を示す図である。
【図９】待受画面設定画面の表示例を示す図である。
【図１０】待受画面設定画面の表示例を示す図である。
【図１１】待受画面設定画面のスクロール表示例を示す図である。
【図１２】待受画面設定画面内の縮小画面の画像のローテーション表示例を示す図である。
【図１３】待受画面設定画面内の縮小画面の画像のローテーション表示例を示す図である。
【図１４】待受画面設定画面内の縮小画面の画像のローテーション表示例を示す図である。
【図１５】待受画面の表示例を示す図である。
【図１６】待受画面の表示例を示す図である。
【図１７】待受画面の表示例を示す図である。
【図１８】待受画面の表示例を示す図である。
【発明を実施するための形態】
【００２８】
図１，図２は、本発明のシステムとして好適な一実施形態であるレーダー探知機の構成を示している。本レーダー探知機は通常ダッシュボード上に取り付けられる。本レーダー探知機は通常ダッシュボード上に台座３３のプレート３３ｂの底面を貼りつけて固定される。台座３３の上部にはボールジョイント受け部３３ａを設けており、ケース本体１の底面から下方に伸びる支柱部３１の下端部に設けたボール部をこのボールジョイント受け部３３ａに挿し込み、ボール部をその可動範囲内の任意の角度・姿勢で保持させることができる。台座３３は、その上面所定位置に球面状の凹部を備えており、台座３３は、ゴム等の弾性変形可能で、適度な摩擦係数を有する材質から構成している。ボール部の外径と、凹部の内径とはほぼ等しく設定している。これにより、ボール部が凹部内に入り込んだ状態では、ボール部の外形状と凹部の内形状とが略符合し、ボール部は球面に沿って任意の方向に回転・移動できるようになる。そして、両者の径をほぼ一致させると共に、凹部の内形状に適度な摩擦係数を持たせることで、ボール部を任意の角度・姿勢で保持させることができる。さらに、台座３３は弾性変形が可能であるので、図１に示す状態から台座３３を保持しつつケース本体１を上方に引き上げる方向に付勢すると、凹部の開口部の径が広がりボール部を凹部から離脱させることができる。逆に、台座３３とボール部とが分離した状態の場合、ボール部を凹部の開口部に押し当て、その状態のまま台座３３に向けて押し込むように付勢すると、凹部の弾性変形によりその開口部が一旦広がり凹部内にボール部が収納される。その後は、台座３３の弾性復元力により凹部の形状は元に戻り、ボール部が簡単に凹部から離脱するのが抑制される。また、台座３３の底面には、粘着シートや両面接着テープや面ファスナー等の接着部材の一面が装着され、その接着部材の他の面がダッシュボード等の車室内の所定位置に取り付けられる。これにより、係る車室内の所定位置に台座３３が固定される。
【００２９】
本レーダー探知機は、図１に示すように、ケース本体１の上面にソーラーパネル２及びスイッチ部３を配置し、ケース本体１の前面側（車両前方へ配置される側（フロントガラス側））の内部に速度測定装置の発する周波数帯のマイクロ波を検知するマイクロ波受信器４を配置する。一方、ケース本体１の後面側（車両後方へ配置される側（ユーザ側（ドライバー側））には、表示部５と警報ランプ６と赤外線通信機７とリモコン受信器１６を配置している。また、ケース本体１の上面側内部には、ＧＰＳ受信器８を配置する。さらに、ケース本体１の一方の側面には、アダプタージャック９を配置し、他方の側面には電源スイッチ１０並びに図示省略するＤＣジャック２１を配置する。ケース本体の底面側内部にはバッテリを備え、このバッテリにはソーラーパネル２及びＤＣジャック２１から供給される電力を充電し、各部に電力を供給する。また、ケース本体１内には、スピーカ２０も内蔵している。本実施形態では、表示部５はバックライトを有する２．４インチの小型カラードットマトリックス液晶ディスプレイであり、ケース本体１の後面側（車両後方へ配置される側（ユーザ側（ドライバー側））を表示面としている。表示部５を実装するケース本体１の後方側の高さＨは、その他の部位の高さＨ０よりも大きくしている。
【００３０】
図２に示すように、赤外線通信機７は携帯電話機１２等の赤外線通信機を内蔵した通信装置との間でデータの送受を行なう。アダプタージャック９は、メモリカードリーダ１３を接続する端子である。アダプタージャック９にメモリカードリーダ１３を接続することで、そのメモリカードリーダ１３に装着されたメモリカード１４に格納されたデータを内部に取り込んだり、データベース１９や制御部１８のメモリの内容をメモリカード１４に書き込んだりすることができる。より具体的には、メモリカード１４に格納されたデータに、新規な目標物の情報（経度・緯度を含む位置情報，種別情報等）などの更新情報がある場合、その更新情報を制御部１８が本レーダー探知機に内蔵されるデータベース１９に格納（ダウンロード）し、データベース１９のデータを更新する。なお、メモリカードリーダ１３の機能は、本体ケース１内に内蔵するように構成してもよい。
【００３１】
データベース１９は、制御部１８のマイコンに外付けした不揮発性メモリ（たとえばＥＥＰＲＯＭ）である。データベース１９には、出荷時に一定の目標物に関する情報を登録しており、その後に追加された目標物についてのデータ等は上記のようにしてデータ更新することができる。また、データ更新は、赤外線通信機７を介して行なうこともできる。
【００３２】
ＤＣジャック２１は、図示省略のシガープラグコードを接続するためのもので、そのシガープラグコードを介して車両のシガーソケットに接続して電源供給を受け得るようにする。
【００３３】
無線受信器１５は、飛来する所定周波数の無線を受信する。リモコン受信器１６は、赤外線によりリモコン（携帯機：子機）１７とデータ通信をし、本装置に対する各種の設定を行なう。また、スイッチ部３も制御部１８に接続され（図示省略）、リモコン１７と同様の設定を行えるようになっている。リモコン１７には、決定ボタンと、上ボタン、下ボタン、左ボタン、右ボタンからなる十字ボタンを備えている。
【００３４】
さらに本実施形態のレーダー探知機は、図２に示すように車両に実装されているＯＢＤ−II（IIはローマ数字の「２」であり、以下「ＯＢＤ−II」を「ＯＢＤ２」と記す）コネクタに接続する接続ケーブル２２を備え、この接続ケーブル２２の先端には、車両のＯＢＤ２コネクタに着脱自在に装着できるコネクタ端子２３が取り付けられている。ＯＢＤ２コネクタは、故障診断コネクタとも称され、車両のＥＣＵに接続され、各種の車両情報が出力される。さらに本実施形態では、接続ケーブル２２の他端には、レーダー探知機のケース本体１の側面に設けたソケット口２４と接続するためのコネクタ端子２５を設けており、レーダー探知機に対しても接続ケーブル２２を着脱できるようにしている。もちろん、接続ケーブル２２をレーダー探知機に直接接続するようにしても良い。
【００３５】
そこで、この接続ケーブル２２に取り付けられたコネクタ端子２３と、車両本体側のＯＢＤ２コネクタとを連結することで、制御部１８は、各種の車両情報を一秒おきに取得する。この車両情報としては、車速、エンジン回転数、エンジン負荷率、スロットル開度、燃料消費量、瞬間燃費、吸入空気量（ＭＡＦ）、インジェクション開時間（ＩＮＪ）、残燃料量、アクセル開度、水温、ウインカー情報（左右のウインカーの動作（ＯＮ／ＯＦＦ））、ハンドルの回転操舵角情報、加速度等がある。
【００３６】
また、制御部１８は、ＣＰＵ，ＲＯＭ，ＲＡＭ，不揮発性メモリ、Ｉ／Ｏ等を備えるマイコンであり、上記の各種の入力機器から入力される情報に基づき所定の処理を実行し、上記の各種の出力機器を利用して所定の警報・メッセージや情報を出力する。なお、これらの基本構成は、基本的に従来のものと同様のものを用いることができる。
【００３７】
本実施形態のレーダー探知機における機能は、制御部１８に有するコンピュータが実行するプログラムとして制御部１８のＥＥＰＲＯＭ上に格納され、これを制御部１８に有するコンピュータが実行することで実現される。
制御部１８の有するプログラムによってコンピュータが実現する機能としては、待受画面表示機能、ＧＰＳ警報機能、レーダー波警報機能、無線警報機能などがある。
【００３８】
待受画面表示機能は、図３（ａ）に示すように、時計などの待受画面を表示する機能であり、ＧＰＳ警報機能、レーダー波警報機能、無線警報機能による画面表示が行われていない状態、すなわち所定のイベントに対応する画面表示を行っていない待受状態のときの表示を行う機能である。
【００３９】
制御部１８は、待受画面表示機能の実行中に、発生したイベントに応じて、ＧＰＳ警報機能、レーダー波警報機能、無線警報機能等の各機能を実現する処理を実行し、当該機能の処理終了時には元の待受画面表示機能の画面の処理に戻る。各機能の優先度は、高いほうから、レーダー波警報機能、無線警報機能、ＧＰＳ警報機能の順に設定している。
【００４０】
ＧＰＳ警報機能は、制御部１８に有するタイマーからのイベントにより所定時間間隔（１秒間隔）で実行される処理であり、データベース１９に記憶された目標物の緯度経度とＧＰＳ受信器８によって検出した現在位置の緯度経度から両者の距離を求め、求めた距離が所定の第一の接近距離（例えば１０００ｍ以内）になった場合に、図３（ｂ）に示すように、ＧＰＳ受信器８によって検出した現在位置から所定の範囲内（例えば約１ｋｍの範囲内）にある目標物をデータベース１９に記憶された位置情報に基づいて検索し、自車位置と目標物の位置との相対的な位置関係を警報画面として表示部５に表示させる機能である。図３（ｂ）中の左側の「Ｗ」が西、右側の「Ｅ」が東、上側の「Ｎ」が北の方角を示し、「Ｗ」と「Ｅ」を結ぶ左右方向の線と「Ｎ」から下へ伸びる上下方向の線との交点にあるアイコンが自車位置を示している。また「Ｌ」「ＲＤ」「Ｐ」「Ｎ」等の文字を有するアイコンが目標物の種類と位置を示す。さらに、求めた距離が所定の第二の接近距離（例えば１０００ｍ以内）になった場合に、表示部５に図３（ｃ）に示すような警報表示をし、スピーカ２０からその旨を示す接近警告の音声を出力する処理である。
【００４１】
こうした目標物としては、居眠り運転事故地点、レーダー、制限速度切替りポイント、取締エリア、検問エリア、駐禁監視エリア、Ｎシステム、交通監視システム、交差点監視ポイント、信号無視抑止システム、警察署、事故多発エリア、車上狙い多発エリア、急／連続カーブ（高速道）、分岐／合流ポイント（高速道）、ＥＴＣレーン事前案内（高速道）、サービスエリア（高速道）、パーキングエリア（高速道）、ハイウェイオアシス（高速道）、スマートインターチェンジ（高速道）、ＰＡ／ＳＡ内 ガソリンスタンド（高速道）、トンネル（高速道）、ハイウェイラジオ受信エリア（高速道）、県境告知、道の駅、ビューポイントパーキング等があり、これらの目標物の種別情報とその位置を示す緯度経度情報と表示部５に表示する模式図または写真のデータと音声データとを対応付けてデータベース１９に記憶している。
【００４２】
レーダー波警報機能は、マイクロ波受信器４によって速度測定装置（移動式レーダー等（以下、単に「レーダー」と称する））から発せられる周波数帯のマイクロ波に対応する信号が検出された場合に、表示部５に対して警報画面を表示するとともに、スピーカ２０から警報音を出力する警報機能である。例えば、レーダーの発するマイクロ波の周波数帯のマイクロ波がマイクロ波受信器４によって検出された場合に、図４に示すように、データベース１９に記憶されたレーダーの模式図または写真を表示部５に警報画面として表示するとともに、データベース１９に記憶された音声データを読み出して「レーダーです。スピード注意」という音声をスピーカ２０から出力する。音声出力中は、警報ランプ６を点燈させる。
【００４３】
無線警報機能は、無線受信器１５によって、緊急車両等の発する無線電波を受信した場合に、その走行等の妨げとならないよう、警報を発する機能である。無線警報機能においては、取締無線、カーロケ無線、デジタル無線、特小無線、署活系無線、警察電話、警察活動無線、レッカー無線、ヘリテレ無線、消防ヘリテレ無線、消防無線、救急無線、高速道路無線、警備無線等の周波数をスキャンし、スキャンした周波数で、無線を受信した場合には、データベース１９に無線種別ごとに記憶されたその周波数に対応する無線を受信した旨の模式図を警報画面として表示部５に表示するとともに、データベース１９に無線種別ごとに記憶された音声データを読み出して、スピーカ２０からその無線の種別を示す警報音声を出力する。たとえば、取締無線を受信した場合には「取締無線です。スピード注意」のように音声を出力する。音声出力中は、警報ランプ６を点燈させる。
【００４４】
本実施形態のレーダー探知機は、待受画面表示機能によって表示可能な複数の待受画面を備える。複数の待受画面の中からどの待受画面を表示対象の待受画面を表示するかを設定する設定画面を設けており、ユーザからのリモコン１７の操作による指示入力に基づき複数の待受画面の中から表示対象の待受画面を選択する構成としている。
制御部１８が描画し表示部５に表示させる設定画面の例を図５〜図１４、同じく待受画面の例を図１５〜図１８に示して説明する。
【００４５】
待受画面としては、図１５（ａ）から図１８（ｃ）に順に示す「傾斜」「潮汐情報」「タコメータ」「マルチメータ」「燃料使用量」「エンジン負荷」「ＯＤＢデータ」「測位情報」「時計」「速度」「エコドライブ」「加速度」の１２種類の待受画面と、これら図１５（ａ）から図１８（ｃ）に示す１２種類の待受画面を１分おきに切り替えて表示する「ローテーション」の待受画面と、表示を行わない「ＯＦＦ」の待受画面との計１４種類を備え、制御部１８は待受画面を描画する以下の処理を行う。
【００４６】
「傾斜」の待受画面は、図１５（ａ）に示すように車両情報として取得した加速度から公知の方法によって車両の傾斜を求めて表示する。「潮汐情報」の待受画面は、図１５（ｂ）に示すようにＧＰＳ受信器８によって取得した現在時刻と車両の現在位置から公知の方法で求めた潮汐情報を表示する。「タコメータ」の待受画面は、図１５（ｃ）に示すように車両情報として取得したエンジン負荷率、スロットル開度、エンジン回転数をそれぞれメータとして表示する。「マルチメータ」の待受画面は、図１６（ａ）に示すように取得した車両情報から公知の方法で瞬間燃費、平均燃費、生涯燃費を求め、それぞれメータとして表示する。「燃料消費量」の待受画面は図１６（ｂ）に示すように、取得した車両情報から積算消費燃料、燃料流量、今回使用燃料、瞬間燃費、平均燃費等を公知の方法で求め、数値やアニメーション等の図的表示で表示する。「エンジン負荷」の待受画面は、図１６（ｃ）に示すように、取得した車両情報から公知の方法でエンジン負荷率、スロットル開度、燃料流量、エンジン回転数を求めて数値で表示するとともに、エンジン回転数に応じてエンジンの図柄を動かすアニメーション表示を行う。「ＯＤＢデータ」の待受画面は、図１７（ａ）に示すように、取得した車両情報から公知の方法で、エンジン回転数、ＭＡＦ、ＩＮＪ、水温、燃料流量、消費燃料、平均燃費、一般道平均燃費、高速道平均燃費、生涯燃費、生涯消費燃料、エンジン負荷率等を求めて数値で一覧表示する。「測位情報」の待受画面は、図１７（ｂ）に示すように、ＧＰＳ受信器８で電波を受信できたＧＰＳ衛星の情報を表示する。図１７は衛星電波が受信できない状態を示しており、衛星電波が受信できた場合にはその衛星の衛星番号と衛星のアイコンと受信強度とをあわせて表示する。「時計」の待受画面は、図１７（ｃ）に示すように、ＧＰＳ受信器８によって取得した現在日時と時刻を表示する。ＧＰＳ受信機８によって衛星電波が受信できない場合には、制御部１８のマイコンに備えたリアルタイムクロックの日時を表示する。「速度」の待受画面は、図１８（ａ）に示すように車両情報として取得した車速等を表示する。「エコドライブ」の待受画面は、図１８（ｂ）に示すように、車両情報に基づいてエコ運転をしているか否かをレーダーチャートとして表示したり、エコ運転度を示す総合ポイントを表示したりする画面である。「加速度」の待受画面は、図１８（ｃ）に示すように、車両情報から車速や各種の加速度を表示する画面である。これらの待受画面を描画する待受画面表示機能の処理は、公知の処理を用いることができる。
【００４７】
待受画面表示機能の開始時と、再開時には、制御部１８の不揮発性メモリに記憶された待受画面設定情報を取得して、待受画面設定情報として設定されている待受画面を表示する処理を行う。待受画面設定情報は、数値で示される待受画面識別ＩＤで、「時計」の待受画面が１、「速度」の待受画面が２、「エコドライブ」の待受画面が３、「加速度」の待受画面が４、「傾斜」の待受画面が５、「潮汐情報」の待受画面が６、「タコメータ」の待受画面が７、「マルチメータ」の待受画面が８、「燃料使用量」の待受画面が９、「エンジン負荷」の待受画面が１０、「ODBデータ」の待受画面が１１、「測位情報」の待受画面が１２、「ローテーション」の待受画面が１３、「ＯＦＦ」の待受画面が１４としている。例えば、待受画面表示機能の開始時あるいは再開時に、制御部１８の不揮発性メモリに記憶された待受画面設定情報が、１である場合には「時計」の待受画面を表示するといった処理を行う。製品出荷時の待受画面設定情報（ＩＤ）のデフォルト設定は４、すなわち、図１５（ａ）の「加速度」の待受画面に設定している。
【００４８】
次に、制御部１８がどの待受画面を表示するかを設定する待受画面設定の処理について説明する。
上述した１４種類の待受画面の中からどの待受画面を表示対象の待受画面を表示するか、すなわち、待受画面設定情報として不揮発性メモリに記憶する待受画面識別ＩＤを決定して不揮発性メモリに記憶させる処理である。
【００４９】
制御部１８は、待受画面表示機能の実行中にリモコン１７の決定ボタンの押下が検出された場合、図５（ａ）の設定画面を表示する。この画面では、本レーダー探知機の各種機能の設定を行うことができる。例えば、ＧＰＳ警報機能においてどの目標物についての警報を行うかは図５（ａ）中の「警報設定」の項目から設定することができる。
【００５０】
図５の設定画面では、上部にその設定画面のタイトルを表示するタイトル表示領域Ｒ１を設け、その下に設定項目を上下方向に並べて表示する設定項目表示領域Ｒ２を備える。設定項目表示領域Ｒ２には、設定項目の名称の文字を左右方向、各設定項目を上下方向に配置している。そして、現在選択中の設定項目であることを示すフォーカスＦ１を、現在選択中の設定項目の右端に表示する。リモコン１７の上ボタンの押下が検出された場合、フォーカスＦ１を一つ上の設定項目の右端に移動して表示する。リモコン１７の下ボタンの押下が検出された場合、フォーカスＦ１を一つ下の設定項目の右端に移動して表示する。図５（ａ）の状態は、「システム設定」が選択された状態を示している。「システム設定」が選択された状態で、リモコン１７の右ボタンの押下が検出された場合、図５（ｂ）に示すシステム設定画面を表示する。またこの設定画面の「設定終了」が選択された状態で、リモコン１７の右ボタンの押下が検出された場合、待受画面表示機能を再開する。
【００５１】
図５（ｂ）のシステム設定画面は、現在選択中の設定項目の左側にもフォーカスＦ１と同様の動きをするフォーカスＦ２を表示する以外は図５（ａ）と同様に描画処理を行う。このシステム設定画面において「待受画面」にフォーカスＦ１，Ｆ２が表示された状態で、リモコン１７の右ボタンの押下が検出された場合には、図６（ａ）の待受画面設定画面を表示する処理に移行し、「待受画面」にフォーカスＦ１，Ｆ２が表示された状態で、リモコン１７の左ボタンの押下が検出された場合には、図５（ａ）の設定画面を表示する処理に戻る。
【００５２】
図６（ａ）の待受画面設定画面は、上部に待受画面設定画面であることを示すタイトルである「待受画面」を表示するタイトル表示領域Ｒ１を設け、その下に設定項目表示領域Ｒ２を設ける。設定項目表示領域Ｒ２には、待受画面として設定しうる１４種類の待受画面のうち３種類の待受画面を設定候補の項目として左右方向の線分である区切り線Ｄを表示して区切った領域に表示する。この区切り線で区切られた領域を上から順に上部、中央部、下部という。区切り線Ｄで区切られた各領域には、左側に待受画面の縮小画面の画像を表示し、右側に縮小画面の画像の示す待受画面の名称を文字で表示する。各待受画面の縮小画面の画像は、同一の大きさとして、左右方向の表示位置を同一とし、上下方向に並べて表示する。待受画面の名称の文字の大きさとフォントは各項目間で同一とし、縮小画面の画像の右側に所定の間隔を開けて横書きで表示している。このように、待受画面設定画面には、縮小画面の画像を上下方向に並べて複数表示するとともに、この上下方向と直交する左右方向に向けてその縮小画面の名称を構成する文字を並べて表示する構成としている。そして、現在選択対象となっている設定項目であることを示すフォーカスＦ３を、現在選択対象となっている設定項目の縮小画面の画像の左側に表示する。初期状態は、図６（ａ）のように待受画面識別ＩＤが１の「時計」の待受画面の縮小画面の画像とその名称である「時計」の文字列とを設定項目表示領域Ｒ２の中央部になるように配置して、フォーカスＦ３をこの「時計」の待受画面の縮小画面の画像の左側に描画する。
【００５３】
そして、現在、制御部１８の不揮発性メモリに記憶された待受画面設定情報の待受画面識別ＩＤに対応する待受画面の縮小画像の外周部分を囲むように、矩形状の赤色のフォーカス枠ＦＦを描画する。現在、制御部１８の不揮発性メモリに記憶された待受画面設定情報（ＩＤ）が、１である場合、すなわち「時計」の待受画面が表示対象とされている場合には、図１１（ａ）に示すように、「時計」の縮小画面の画像の周囲にフォーカス枠ＦＦを描画する。
【００５４】
また、待受画面識別ＩＤが２の「速度」の待受画面の縮小画面の画像とその名称である「時計」の文字列とを設定項目表示領域Ｒ２の下部になるように配置して描画する。同様にして、残りの１２種類の待受画面の縮小画面の画像とその名称もその待受画面識別ＩＤ（以下単にＩＤとも称する）順に設定項目表示領域Ｒ２の下端外の非表示領域のメモリ描画しており、リモコン１７の下ボタンの押下が検出された場合、図６（ｂ）に示すように上方向にこの領域を移動させ、上部の項目を上へスクロールアウトさせ、中央部の項目を上部へ、下部の項目を中央部へ、下端外の非表示領域のメモリ描画された次の項目を表示する処理を行う。このようにして、リモコン１７の下ボタンの押下が検出されるたびに、図６（ａ）から図６（ｂ）の表示状態へ遷移させるスクロール表示、図６（ｂ）から図６（ｃ）の表示状態へ遷移させるスクロール表示、図６（ｃ）から図７（ａ）の表示状態へ遷移させるスクロール表示、・・・・、図１０（ａ）から図１０（ｂ）の表示状態へ遷移させるスクロール表示を行う（「・・・」として省略部分は図７から図１０において同様のスクロール表示）。スクロール表示は、図１１（ａ）、図１１（ｂ）、図１１（ｃ）にその過程を順に示すように、一定の速度で連続的になめらかにスクロールさせる方法で行う。また、リモコン１７の上ボタンの押下が検出された場合は、逆に下方向にこの領域を移動させ同様の表示を行う。
【００５５】
ユーザは、表示部５に待受状態で表示させたい待受画面の縮小画面の画像が中央部にくるようにリモコン１７の上ボタン・下ボタンを押下する。そして、表示部５に待受状態で表示させたい待受画面の縮小画面の画像が中央部に表示された状態（待受状態で表示させたい待受画面の縮小画面の画像の左にフォーカスＦ３が表示されている状態）で、リモコン１７の決定ボタンが押下する。
【００５６】
制御部１８は、スクロールが停止している図６（ａ）から図１０（ｂ）の状態で、リモコン１７の決定ボタンの押下が検出された場合、その時点で中央部に表示している縮小画面の画像（左にフォーカスＦ３が表示されている画面の画像）に対応するＩＤを待受画面設定情報として不揮発性メモリに記憶するとともにフォーカス枠ＦＦをその中央部に表示している縮小画面の画像の周囲に移動して描画する。例えば、図６（ｂ）の「速度」の待受画面の縮小画面の画像が中央部に表示されている状態で、リモコン１７の決定ボタンの押下が検出された場合、ＩＤとして２を待受画面設定情報として不揮発性メモリに記憶するとともにフォーカス枠ＦＦを「速度」の待受画面の縮小画面の画像の周囲に移動して描画する。
【００５７】
そして、図６〜図１０の待受画面設定画面を表示している状態でリモコン１７の左ボタンの押下が検出された場合には、図５（ｂ）のシステム設定の画面を表示する処理に戻り、さらにこの画面でリモコン１７の右ボタンの押下が検出された場合には前述のように、図５（ａ）の設定画面へと戻る。そして、この設定画面で「設定終了」が選択されて決定ボタンが押下された場合には、待受画面表示機能へ戻り、待受画面設定情報として不揮発性メモリに記憶されたＩＤの待受画面が表示されることとなる。
【００５８】
なお、各待受画面の縮小画面の画像は、本実施形態では、実際に表示された例の画面のスクリーンショットをとっておき、その縮小画面の画像のデータを不揮発性メモリに記憶しておいて、これを表示するようにしている。そのため、例えば図６（ａ）に示す「時計」の待受画面の縮小画面の画像は、図１７（ｃ）に示すような実際の「時計」の待受画面の表示とはその示す時刻等が異なるものとなるが、これらは実際に「時計」の待受画面として表示されたスクリーンショットの縮小画面の画像としている。そのため、この縮小画面の画像を見たユーザは、これは「時計」の待受画面のものであるということを容易に認識できる。同様にＩＤ２の図１８（ａ）の「速度」の待受画面の縮小画面の画像が図６（ｂ）の中央部に表示されている縮小画像に相当し、ＩＤ３の図１８（ｂ）の「エコドライブ」の待受画面の縮小画面の画像が図６（ｃ）の中央部に表示されている縮小画像に相当し、ＩＤ４の図１８（ｃ）の「加速度」の待受画面の縮小画面の画像が図７（ａ）の中央部に表示されている縮小画像に相当し、ＩＤ５の図１５（ａ）の「傾斜」の待受画面の縮小画面の画像が図７（ｂ）の中央部に表示されている縮小画像に相当し、ＩＤ６の図１５（ｂ）の「潮汐情報」の待受画面の縮小画面の画像が図７（ｃ）の中央部に表示されている縮小画像に相当し、ＩＤ７の図１５（ｃ）の「タコメータ」の待受画面の縮小画面の画像が図８（ａ）の中央部に表示されている縮小画像に相当し、ＩＤ８の図１６（ａ）の「マルチメータ」の待受画面の縮小画面の画像が図８（ｂ）の中央部に表示されている縮小画像に相当し、ＩＤ９の図１６（ｂ）の「燃料使用量」の待受画面の縮小画面の画像が図８（ｃ）の中央部に表示されている縮小画像に相当し、ＩＤ１０の図１６（ｃ）の「エンジン負荷」の待受画面の縮小画面の画像が図９（ａ）の中央部に表示されている縮小画像に相当し、ＩＤ１１の図１７（ａ）の「ＯＤＢデータ」の待受画面の縮小画面の画像が図９（ｂ）の中央部に表示されている縮小画像に相当し、ＩＤ１２の図１７（ｂ）の「測位情報」の待受画面の縮小画面の画像が図９（ｃ）の中央部に表示されている縮小画像に相当する。
【００５９】
ＩＤ１３の「ローテーション」の待受画面の縮小画面の画像は、図１０（ａ）の中央部に表示されている縮小画像の状態や、図１２〜図１４の中央部に表示されている縮小画像の状態として描画する。この表示処理の内容を図１２〜図１４を参照して説明する。
【００６０】
「ローテーション」の待受画面は前述したとおり、図１５（ａ）から図１６（ｃ）に順に示した「傾斜」「潮汐情報」「タコメータ」「マルチメータ」「燃料使用量」「エンジン負荷」「ＯＤＢデータ」「測位情報」「時計」「速度」「エコドライブ」「加速度」の１２種類の待受画面を１分おきに切り替えて表示する機能だから、この縮小画面の画像としてこれら１２種類の縮小画面の画像を１分おきに切り替えるように構成してもよい。しかし、設定画面で１分間画面が変わらないと、そのとき表示されている縮小画面を待受画面に設定する表示とユーザが勘違いしてしまう可能性がある。そこで、本実施形態では、１２種類の待受画面の縮小画面の画像をＩＤが１から１２までの順に上から下方向に縦につなげて「ローテーション」の縮小画面の画像の表示領域内でスクロール表示させるようにした。なおＩＤ１２の縮小画面の画像の次はまたＩＤ１の縮小画面の画像を表示する。例えば、図１２（ａ）、図１２（ｂ）、図１２（ｃ）、図１３（ａ）、図１３（ｂ）、図１３（ｃ）はＩＤ７の「タコメータ」の待受画面の縮小画面の画像からＩＤ８の「マルチメータ」の待受画面の縮小画面の画像へとスクロール表示させている様子を順に示しており、図１４（ａ）、図１４（ｂ）、図１４（ｃ）はその続きのＩＤ８の「マルチメータ」の待受画面の縮小画面の画像からＩＤ９の「燃料使用量」の待受画面の縮小画面の画像へとスクロール表示させている様子を順に示したものである。このように「ローテーション」の縮小画面の画像の表示領域内でスクロール表示する。このスクロールは停止することなく連続的に行い、そのスクロールの速度は、ある待受画面の縮小画面の画像の全体が表示されてから、その全体がスクロールアウトして次の待受画面の縮小画面の画像の全体が表示されるまでの時間を３秒としている。
【００６１】
ＩＤ１４の「ＯＦＦ」の待受画面の縮小画面の画像は、図１０（ｂ）の中央部に表示されている縮小画像のように、黒塗りの何も表示されていない縮小画面の画像を表示する。
【００６２】
以上のように、本レーダー探知機は、表示可能な１４種類の待受画面の中からユーザからの指示入力に基づき表示対象の待受画面を選択する待受画面設定画面を表示し、この待受画面設定画面において選択された画面を表示対象の画面として設定しておき、その設定された表示対象の画面を表示する機能を有する。そして、待受画面設定画面は、表示可能な複数の待受画面としてユーザに認識される画面の画像をそれぞれ縮小した縮小画面の画像とともに各画面の名称を当該縮小画面の近傍に表示する構成としている。
【００６３】
このようにすることで、表示可能な画面数が１４種類あっても、選択可能な各画面がどの画面なのかを縮小画像をみて容易に理解でき、ユーザが希望する画面を確実に表示対象として設定できる。縮小画像は、実際に表示されうる画面の画像を縮小したものだからである。
【００６４】
なお、表示可能な複数の画面としてユーザに認識される画面としては、例えば、表示可能な複数の画面のそのものでもよいし、表示可能な複数の画面の主要部を有するものであってもよい。設定された表示対象の画面を表示する際にその画面の主要部は変わらないがその中の一部は処理によって書き換える場合であっても、表示可能な複数の画面としてユーザに認識される画面の画像をそれぞれ縮小した縮小画面の画像とともに各画面の名称を当該縮小画面の近傍に表示することで、ユーザが希望する画面を確実に表示対象として設定できる。例えば、変動部と非変動部を有する画面の場合、非変動部の画面の画像を縮小した縮小画面の画像を表示するようにしたり、変動部について表示がなされた例を表示した画面の画像を縮小した縮小画面の画像を表示するようにしたりするとよい。
【００６５】
待受画面設定画面には、縮小画面の画像を上下方向に並べて複数表示するとともに、その上下方向と直交する左右方向に向けて当該縮小画面の名称を構成する文字を並べて表示する構成としている。したがって、本実施形態のレーダー探知機のように狭い画面であっても、多数の画面の縮小画面を表示でき、表示対象の画面を容易に選択できる。
【００６６】
そして、縮小画面の画像を上下方向に並べて複数表示する際に、待受画面の表示対象の画面として選択する対象の縮小画面の画像は、縮小画面の画像を所定方向に並べて複数表示する領域の上下方向の長さの中心部に表示する構成とした。そのため、上下方向の中心部に表示された待受画面の縮小画面の画像が表示対象の画面として選択する対象の縮小画面となり、どの画面が選択対象の画面となるのかが分かりやすい。
【００６７】
リモコン１７の選択ボタンの押下が検出された場合に、待受画面の表示対象の画面として選択されている対象の縮小画像を含む部分を指し示すフォーカス枠ＦFを表示する構成としたので、どの画面が選択された画面となるのかが縮小画面の画像とフォーカス枠ＦＦの関係から直感的に分かる。すなわち、フォーカス枠ＦＦで囲まれた縮小画面の対応する待受画面が表示対象の画面として選択する対象となる。また、待受画面の表示対象の画面として選択する対象を示す縮小画面の画像の近傍に指示表示であるフォーカスＦ３を行う構成とした。このようにすれば、どの画面が選択対象の画面となるのかがフォーカスＦ３と画像の位置関係から容易に理解できる。すなわちフォーカスＦ３が右側にある縮小画面に対応する待受画面が選択する態様となっていることが分かる。この状態で、リモコン１７の選択ボタンの押下が検出された場合には、待受画面の表示対象の画面として選択されている対象の縮小画像を含む部分を指し示すフォーカス枠ＦFがその縮小画像の周囲に表示されることが分かる。
【００６８】
待受画面設定画面には、所定のスクロール操作の検出に応じて、１４種類の表示可能な複数の待受画面の中から３種類の画面の縮小画面の画像を同時に表示するスクロール表示制御を行う構成とした。そのため、同時に画面に表示できない多数の画面の中からスクロール操作によって表示される縮小画面の画像を見て選択対象の画面を容易に選択することができる。
【００６９】
待受画面の表示対象の画面として、複数の画面を１分間隔で切り替えて表示するローテーション画面を備え、待受画面設定画面には、そのローテーション画面の縮小画面の画像としてその複数の画面をユーザが視認可能な画像を表示する構成とした。そのため、実際にローテーション画面として所定時間間隔で切り替えて表示される複数の画面が縮小画面の画像として表示されることから、ローテーション画面でどのような画面が所定時間間隔で切り替えて表示されるのかを容易に把握することができる。また、この複数の画面を視認可能な画像として、一分間隔で切り替えて表示する複数の待受画面を所定の方向に繋げた縮小画面の画像をこの１分間隔よりも短い時間である３秒で切り替わるようにスクロール表示させる構成とした。そのため、短時間で、ローテーション画面において、どのような画面が１分間隔で切り替えて表示されるのかを、すぐに容易に把握することができる。
【００７０】
なお、この複数の画面を視認可能な画像として、１分間隔で切り替えて表示する複数の画面をそれぞれ縮小した縮小画面の画像を１分間隔よりも短い間隔で切り替えて表示する構成としてもよい。例えばローテーションではなくて、瞬時に切り替えるようにしてもよい。このようにすれば、短時間で、ローテーション画面において、どのような画面が所定時間間隔で切り替えて表示されるのかを、すぐに容易に把握することができる。
【００７１】
表示対象の待受画面として、表示を行わない画面である「ＯＦＦ」の画面（オフ画面）を備え、待受画面設定画面には、そのオフ画面の縮小画面の画像として表示を行わないときの画面の状態を示す画像（真っ黒な画像）を表示する構成とした。そのため、オフ画面においてどのような表示になるのかを縮小画面の画像として容易に確認することができる。
【００７２】
本発明によれば、表示可能な画面数が１４種類という多数になったとしても、待受画面の表示対象の画面として選択可能な各画面がどの画面なのかを容易に理解でき、ユーザが希望する待受画面を確実に表示対象の画面として設定できるシステム等を提供することができる。
【００７３】
なお、本実施形態では、表示部５やスピーカ２０をレーダー探知機内に備えることとしたが、レーダー探知機内には、これらを備えず、代わりに例えば汎用の機器（例えば、モニタ、スピーカ等を有する携帯電話等）へ信号を出力するようにしてもよい。
【００７４】
本実施形態では、シガープラグコードを介して車両のシガーソケットに接続して電源供給を受け得るようにしたがＯＢＤ２コネクタから電源の供給を受けるようにしてもよい。
【００７５】
また、本実施形態では、レーダー探知機の例で説明したが、車載用の各種の電子機器の機能として実施することができる。たとえば、ナビゲーション装置や、ドライブレコーダ、カーオーディオの機能として組み込んでもよい。また本実施例で記載した数値の値は、実験等を行って適宜、効果を奏する値に変更してもよい。表示部５の画面サイズなども任意のものとすることができる。また、制御部１８には、各機能や警報の優先順位をリモコン１７等からのユーザからの指示に基づいて設定する機能を設け、この設定された優先順位で制御部１８が処理を行うように構成してもよい。制御部１８の機能の一部やデータベース１９を外部の端末やサーバに備えるようにして、それら一部と他部とを無線通信等によって接続するようにしてもよい。
【符号の説明】
【００７６】
１    ケース本体
２    ソーラーパネル
４    マイクロ波受信器
５    表示部
６    ランプ
７    赤外線通信機
８    ＧＰＳ受信器
９    アダプタージャック
１０    電源スイッチ
１１    携帯電話機
１２    メモリカードリーダ
１４    メモリカード
１５    無線受信器
１６    リモコン受信器
１７    リモコン
１８    制御部
１９    データベース
２０    スピーカ
２１    ＤＣジャック
２２    接続ケーブル
２３    コネクタ端子
【図１】
0005740669.tif 000002
【図２】
0005740669.tif 000003
【図４】
0005740669.tif 000004
【図３】
0005740669.tif 000005
【図５】
0005740669.tif 000006
【図６】
0005740669.tif 000007
【図７】
0005740669.tif 000008
【図８】
0005740669.tif 000009
【図９】
0005740669.tif 000010
【図１０】
0005740669.tif 000011
【図１１】
0005740669.tif 000012
【図１２】
0005740669.tif 000013
【図１３】
0005740669.tif 000014
【図１４】
0005740669.tif 000015
【図１５】
0005740669.tif 000016
【図１６】
0005740669.tif 000017
【図１７】
0005740669.tif 000018
【図１８】
0005740669.tif 000019